【事件の表示】
　特許第２８９４６０６号「乗用型コンバイン」の特許に対する特許異議の申立てについて、次のとおり決定する。
【結　論】
　特許第２８９４６０６号の特許を維持する。
【理　由】
１.手続の経緯
　特許第２８９４６０６号に係る発明についての出願は、昭和６１年７月１１日に出願された特願昭６１−１６３４０３号の一部を新たな出願とした特願平８−５７２０号の一部を更に新たな出願とした特願平８−３４９４６７号であり、平成１１年３月５日にその発明についての設定登録がなされた後、その特許について特許異議申立人ヤンマー農機株式会社（以下、申立人という。）より特許異議の申立てがなされたものである。
　
２.特許異議の申立てについて
(2-1)本件発明
　特許第２８９４６０６号に係る発明の要旨（以下、本件発明という。）は、特許明細書及び図面の記載からみて、その特許請求の範囲第１項に記載されたとおりの次のものと認める。
「走行装置１０・１０を備える機体１の前側に刈取部２を設け、該刈取部２後方における機体１前部に、刈取穀稈を後送する穀稈移送装置３と操作装置５０・５０ａおよび座席５１を囲い込むキャビン５とを左右に並設し、これら穀稈移送装置３とキャビン５との後側に、刈取穀稈を脱穀処理する脱穀部４と旋回及び起伏回動操作可能な放出筒８１を備えるグレンタンク７とを左右に並設して構成する乗用型コンバインにおいて、前記座席５１の前方に設ける運転操作系の操作装置５０と、前記座席５１の側方に設ける運転操作系の操作装置５０と、前記座席５１の後部側方に設ける放出筒８１操作用の操作装置５０ａとを、この順に、より高い位置となるべく配置し、且つ、前記放出筒８１操作用の操作装置５０ａを前記キャビン５後部の窓５２の放出筒支持部材Ｓ側下方に配置したことを特徴とする乗用型コンバイン。」
　
(2-2)申立ての概要
　申立人は、「本件発明は、その特許出願前に頒布された甲第１号証の１〜甲第３号証に記載された発明に基づいて当業者が容易に発明をすることができたものであるから、特許法第２９条第２項の規定により特許を受けることができず、本件発明についての特許は拒絶の査定をしなければならない特許出願に対してされた」と主張している。
　
（１）甲第１号証の１［実願昭５２−７８３８０号（実開昭５４−５６６１号）のマイクロフィルム］には、走行装置（走行クローラ２）を備える機体（機台３）の前側に刈取部（８）を設け、該刈取部後方における機体前部に、刈取穀稈を後送する穀稈移送装置（穀稈搬送コンベア１１）と座席（運転席１５）を左右に並設し、穀稈移送装置と座席との後側に、刈取穀稈を脱穀処理する脱穀部（６）と旋回及び起伏回動操作可能な放出筒（横排出コンベア２３）を備えるグレンタンク(収納タンク１８)とを左右に並設して構成する乗用型コンバインにおいて、前記座席の前方に設ける運転操作系の操作装置と、前記座席の側方に設ける操作装置と、前記座席５１の後部側方に設ける放出筒操作用の操作装置（方向転換手動レバー１１３、ハンドル１５２、横排出コンベア２３用昇降レバー１５６）とを、配置し、且つ、前記放出筒操作用の操作装置を、放出筒支持部材（機枠台１６０）の、それぞれ、前方に配置したもの（方向転換手動レバー１１３）、後方に配置したもの（ハンドル１５２）、下方に配置したもの（横排出コンベア２３用昇降レバー１５６）から構成した乗用型コンバインが記載されている。
（２）甲第１号証の２［実願昭５５−１１９４６７号（実開昭５７−４３７３８号）のマイクロフィルム］には、走行装置(クローラ走行装置１)を備える機体の前側に刈取部(刈取処理部３)を設け、該刈取部後方における機体前部に、刈取穀稈を後送する穀稈移送装置と座席を左右に並設し、これら穀稈移送装置と座席との後側に、刈取穀稈を脱穀処理する脱穀部(脱穀装置２)と旋回及び起伏回動操作可能な放出筒（穀粒搬出装置５）を備えるグレンタンク(タンク４)とを左右に並設して構成する乗用型コンバインにおいて、前記座席の前方に設ける操作装置と、前記座席の側方に設ける操作装置と、前記座席５１の後部側方に設ける放出筒操作用の操作装置(ハンドル１１)とを、配置し、且つ、前記放出筒操作用の操作装置を放出筒支持部材前方に配置した乗用型コンバインが記載されている。
（３）甲第１号証の３［実願昭５６−１１１６６７号（実開昭５８−１８４４９号）のマイクロフィルム］には、走行装置(クローラ走行装置１)を備える機体の前側に刈取部を設け、該刈取部後方における機体前部に、刈取穀稈を後送する穀稈移送装置（搬送供給する装置９）と座席（４Ａ）とを左右に並設し、これら穀稈移送装置の後側に、刈取穀稈を脱穀処理する脱穀部(脱穀装置２)と旋回及び起伏回動操作可能な放出筒(第２揚穀スクリュー装置１１)を備えるグレンタンク(脱穀穀物タンク３)とを左右に並設して構成する乗用型コンバインにおいて、前記座席の前方に設ける運転操作系の操作装置と、前記座席の側方に設ける運転操作系の操作装置と、前記座席の後方に設ける放出筒操作用の操作装置（操作レバー２３、ハンドル３２）とを配置した乗用型コンバインが記載されている。
（４）甲第２号証の１［実願昭５５−２６０６３号（実開昭５６−１２９２２４号）のマイクロフィルム］には、走行装置(クローラ走行装置６)を備える機体の前側に刈取部（８）を設け、該刈取部後方における機体前部に、刈取穀稈を後送する穀稈移送装置(搬送装置４)と操作装置の一部および座席を囲い込むキャビン(運転キャビン９)とを左右に並設し、これら穀稈移送装置とキャビンとの後側に、刈取穀稈を脱穀処理する脱穀部（５）を設けた乗用型コンバインにおいて、前記座席の前方に設ける操作装置と、前記座席の側方に設ける操作装置を配置した乗用型コンバインが記載されている。
（５）甲第２号証の２［実願昭５５−２２２６９号（実開昭５６−１２５０３２号）のマイクロフィルム］には、走行装置(クローラ走行装置１)を備える機体の前側に刈取部を設け、該刈取部後方における機体前部に、刈取穀稈を後送する穀稈移送装置（茎桿搬送装置７）と操作装置および座席を囲い込むキャビン（１０）を左右に並設し、これら穀稈移送装置とキャビンとの後側に、刈取穀稈を脱穀処理する脱穀部(脱穀装置２)を設けた乗用型コンバインにおいて、前記座席の前方に設ける操作装置を配置した乗用型コンバインが記載されている。
（６）甲第２号証の３［実願昭５７−６９１７８号（実開昭５８−１７０９２６号）のマイクロフィルム］には、走行装置（２）を備える機体(機台３)の前側に刈取部(刈取装置４)を設け、該刈取部後方における機体前部に、刈取穀稈を後送する穀稈移送装置（穀稈搬送装置５）と操作装置および座席(運転席７)を囲い込むキャビン（１２）を左右に並設し、これら穀稈移送装置とキャビンとの後側に、刈取穀稈を脱穀処理する脱穀部(脱穀装置１)と放出筒（排出スロワー２３）を備えるグレンタンク(穀粒タンク９)とを左右に並設して構成する乗用型コンバインにおいて、前記座席の前方に設ける操作装置と、前記座席の側方に設ける操作装置とを、配置した乗用型コンバインが記載されている。
（７）甲第２号証の４［実願昭５４−１３９８０３号（実開昭５６−５７０２７号）のマイクロフィルム］には、走行装置(クローラ走行装置１)を備える機体(機台２)の前側に刈取部を設け、該刈取部後方における機体前部に、刈取穀稈を後送する穀稈移送装置(刈取穀稈搬送装置６)と操作装置および座席（１２）を囲い込むキャビン(運転キャビン１６)とを左右に並設し、これら穀稈移送装置とキャビンとの後側に、刈取穀稈を脱穀処理する脱穀部(脱穀機４)を設ける乗用型コンバインにおいて、前記座席の前方に設ける運転操作系の操作装置と、前記座席の側方に設ける運転操作系の操作装置とを、配置した乗用型コンバインが記載されている。
（８）甲第３号証［実願昭５７−６９９７３号（実開昭５８−１７６６４１号）のマイクロフィルム］には、「走行装置（２）を備える機体(機台３)の前側に刈取部を設け、脱穀部(脱穀装置１)と起伏回動操作可能な放出筒(スロワー筒４２)を備えるグレンタンク(穀粒タンク５)とを左右に並設した乗用型コンバインにおいて、座席(運転席４)の前方に設ける操作装置と、前記座席の側方に設ける操作装置と、前記座席の後部側方に設け、移送螺旋回転、スロワー回転、及び、シャッター開閉用の操作装置(切替えレバー２６)とを、配置したコンバインが記載されている。
　
(2-3)対比・判断
　本件発明と甲第１号証の１記載の発明とを対比すると、本件発明が少なくとも、
(a)「座席５１の前方に設ける運転操作系の操作装置５０と、前記座席５１の側方に設ける運転操作系の操作装置５０と、前記座席５１の後部側方に設ける放出筒８１操作用の操作装置５０ａとを、この順に、より高い位置となるべく配置し、且つ、前記放出筒８１操作用の操作装置５０ａを前記キャビン５後部の窓５２の放出筒支持部材Ｓ側下方に配置した」のに対し、甲第１号証の１記載の発明は、「座席の前方に設ける運転操作系の操作装置と、前記座席の側方に設ける操作装置と、放出筒操作用の操作装置とを、配置」しているが、これらの操作装置をこの順により高い位置となるべく配置されておらず、また、前記放出筒操作用の操作装置が、複数あって、放出筒支持部材（機枠台１６０）の、それぞれ、前方に配置したもの（方向転換手動レバー１１３）、後方に配置したもの（ハンドル１５２）、下方に配置したもの（横排出コンベア２３用昇降レバー１５６）である点、
で相違する。
　上記相違点(a)を検討すると、甲第１号証の２、甲第１号証の３、甲第２号証の１〜甲第２号証の４には、本件構成要件(a)のうち少なくとも「放出筒操作用の操作装置を前記キャビン後部の窓の放出筒支持部材側下方に配置したこと」が記載されておらず、また、甲第３号証には、「座席の後部側方に操作装置(切替えレバー２６)」を設けたことが記載されたことが認められるものの、該操作装置(切替えレバー２６)は、放出筒支持部材側下方に配置したことは明らかではなく、また、移送螺旋回転、スロワー回転、及び、シャッター開閉用の操作装置であって、放出筒操作用の操作装置ではないから、甲第１号証の２〜甲第３号証には、いずれにも、相違点(a)における本件発明の構成要件が記載されていない。
　したがって、甲第１号証の１〜甲第３号証に記載された発明を組み合わせても本件発明にはなりえず、本件発明は甲第１号証の１〜甲第３号証に記載された発明に基づいて当業者が容易に発明をすることができたものとすることができない。
　そして、本件発明は、特許明細書記載の「【0012】・・・操縦者が、キャビン５の前方下方に位置する刈取部２の作業状態を監視し易くなることにより、作業能率を向上させることができる。【0031】また、操縦者が、座席５１の側方に設ける運転操作系の操作装置５０を片手で容易に操作でき、機体１の運転操作性を向上させることができる。また、操縦者が、放出筒８１を比較的楽な姿勢で旋回ないし起伏回動操作できることにより、放出筒８１の操作性を向上させることができる。また、操縦者の誤操作による放出筒８１の不用意な旋回または起伏回動が少なくなることで、事故の発生や装置の破損を減少させることができ、安全性を向上させることができる。」という格別の効果を奏する。
　
 　以上のとおりであるから、特許異議の申立ての理由によっては本件発明についての特許を取り消すことはできない。
　また、他に本件発明についての特許を取り消すべき理由を発見しない。
　よって、本件発明についての特許は拒絶の査定をしなければならない特許出願に対してされたものと認めないから、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年５月９日（２０００．５．９）